(57)【要約】    【課題】  大きな力が作用しても軸部材の周囲に倒傘状に配置された針部材の形状や配置が変化し難いいか釣針を提供する。    【解決手段】  複数の針部材２０…２０を軸部材１０の周囲に倒傘状に配置したいか釣針１において、各針部材２０を、折返部２１と、該折返部２１から下方に延びて前記軸部材１０に沿う垂直部２２，２２と、該垂直部２２，２２の下端から前記軸部材１０を中心として該軸部材１０にほぼ直交する方向で放射状に延びる放射状部２３，２３と、該放射状部２３，２３の先端から上方に起立して針先を形成する起立部２４，２４とで構成する。そして、前記軸部材１０における上下２段に分割配置された針部材２０…２０の直下方にそれぞれ円板状の支持部材４０，４０を取り付け、かつ、前記針部材２０…２０の放射状部２３…２３を接着剤層５０，５０を介して支持部材４０，４０に固定する。【選択図】    図１
0003115171.tif 000002
【実用新案登録請求の範囲】
【請求項１】
複数の針部材が軸部材の周囲に倒傘状に配置されたいか釣針であって、
前記針部材は、前記軸部材に沿う垂直部と、該垂直部の下端から前記軸部材を中心として該軸部材にほぼ直交する方向で放射状に延びる放射状部と、該放射状部の先端から上方に起立して針先を形成する起立部とを有すると共に、
前記軸部材における針部材の直下方に円板状の支持部材が取り付けられており、かつ、
前記針部材の放射状部が接着部材により支持部材に固定されていることを特徴とするいか釣針。
【考案の詳細な説明】
【技術分野】
【０００１】
本考案は、いか釣漁業で使用される釣針に関し、釣針の製造技術分野に属する。
【背景技術】
【０００２】
従来より、いか釣り漁業で使用される釣針には各種各様の構成のものがあり、その中で、軸部材の周囲に複数の針部材を倒傘状に配置したものにおいて、掛かったいかの重量による針部材の抜け落ち防止を図ったものがある。例えば特許文献１には、図３に示すいか釣針Ａが開示されている。このいか釣針Ａは、軸部材Ａ１０と、該軸部材Ａ１０の周囲に上下２段に分割配置された複数の針部材Ａ２０…Ａ２０とを有している。
【０００３】
各針部材Ａ２０は松葉状に折り返された上で、複数本の針部材Ａ２０…Ａ２０が中央に空間を形成しつつ環状配置するように筒状部材Ａ３０に挿入されている。また、各針部材Ａ２０は、折返部Ａ２１から下方に延びる一対の垂直部Ａ２２，Ａ２２と、該垂直部Ａ２２，Ａ２２の下端から前記軸部材Ａ１０を中心として該軸部材Ａ１０とほぼ直交する方向で放射状に延びる放射状部Ａ２３，Ａ２３と、該放射状部Ａ２３，Ａ２３の先端から起立して針先を形成する起立部Ａ２４，Ａ２４とを有するように折曲されている。
【０００４】
このように倒傘状に配置された針部材Ａ２０…Ａ２０の中央に形成された空間に、前記軸部材Ａ１０が挿入されている。そして、軸部材Ａ１０と針部材Ａ２０…Ａ２０との間の隙間や、軸部材Ａ１０近傍における隣接する針部材Ａ２０，Ａ２０間の隙間に接着剤が塗布されており、軸部材Ａ１０と針部材Ａ２０…Ａ２０及び針部材Ａ２０…Ａ２０同士は、接着剤層Ａ４０…Ａ４０を介して固定されることになる。これにより、軸部材Ａ１０からの針部材Ａ２０…Ａ２０の抜け落ちは防止されるようになる。
【０００５】
一方、特許文献２には、図４に示すいか釣針Ｂが開示されている。このいか釣針Ｂは、筒状の軸部材Ｂ１０と、該軸部材Ｂ１０の周囲に上下３段（図例では２段に省略）に分割配置された複数の針部材Ｂ２０…Ｂ２０とを有している。各針部材Ｂ２０は、垂直部Ｂ２１と折曲部Ｂ２２と起立部Ｂ２３とを形成するように略Ｖ字状に折曲されている。
【０００６】
複数の針部材Ｂ２０…Ｂ２０の垂直部Ｂ２１…Ｂ２１は、中央に空間を形成しつつ環状に配置するように短い筒状部材Ｂ３０に挿入され、こうして倒傘状に配置された針部材Ｂ２０…Ｂ２０の中央に形成された空間に前記軸部材Ｂ１０が挿入されている。また、前記軸部材Ｂ１０に、上下に延びる連結部材Ｂ４０が内装されており、軸部材Ｂ１０の下端から突出する連結部材Ｂ４０に、座金Ｂ５０を挟んで連結リングＢ６０が連結されている。
【０００７】
これにより、下段の針部材Ｂ２０…Ｂ２０は、折曲部Ｂ２２…Ｂ２２を介して座金Ｂ５０で支持されて、針部材Ｂ２０…Ｂ２０に下向きの大きな力が作用しても、軸部材Ｂ１０からの針部材Ｂ２０…Ｂ２０の抜け落ちは防止されるようになる。
【０００８】
【特許文献１】特開平９−９４０４４号公報
【特許文献２】特開２０００−１１６２８３号公報
【考案の開示】
【考案が解決しようとする課題】
【０００９】
ところで、このようないか釣針Ａ，Ｂにおいて、下記問題が生じることがある。すなわち、図５に一例を示すように、特にいか釣針Ａにおいて、針部材Ａ２０は軸部材Ａ１０から放射状に長く延びる放射状部Ａ２３を有する関係上、起立部Ａ２４に下向きの大きな力が作用したときに、該針部材Ａ２０に強度の点で弱い材質のものが使用されている場合等には、該針部材Ａ２０は接着剤層Ａ４０を介した固定基部つまり軸部材Ａ１０の近傍箇所から下方へ変形し易く、つまり二点鎖線で示す状態から実線で示す状態に変形し易く、都度針部材Ａ２０を適正形状に修正しなくては、次回の釣果に影響が出るという問題が生じることがある。
【００１０】
また、いか釣針Ａでは、針部材Ａ２０は垂直部Ａ２２より先端側の放射状部Ａ２３及び起立部Ａ２４が、一方、いか釣針Ｂでは、針部材Ｂ２０は垂直部Ｂ２１より先端側の折曲部Ｂ２２及び起立部Ｂ２３が固定されていなくフリー状態であるため、図６にいか釣針Ａについて例示するように、針部材Ａ２０…Ａ２０の放射状部Ａ２３及び起立部Ａ２４に水平面内で円周方向に大きな力が作用したときに、水平面内での放射状部Ａ２３及び起立部Ａ２４の配置が変化し易く、つまり二点鎖線で示す状態から実線で示す状態に変化し易く、都度針部材Ａ２０を適正配置に修正しなくては、同じく次回の釣果に影響が出るという問題が生じることがある。
【００１１】
そこで、本考案は、大きな力が作用しても軸部材の周囲に倒傘状に配置された針部材の形状や配置が変化し難いいか釣針の提供を課題とする。
【課題を解決するための手段】
【００１２】
前記課題を解決するため、本考案は次のように構成したことを特徴とする。
【００１３】
請求項１に記載の考案は、複数の針部材が軸部材の周囲に倒傘状に配置されたいか釣針であって、前記針部材は、前記軸部材に沿う垂直部と、該垂直部の下端から前記軸部材を中心として該軸部材にほぼ直交する方向で放射状に延びる放射状部と、該放射状部の先端から上方に起立して針先を形成する起立部とを有すると共に、前記軸部材における針部材の直下方に円板状の支持部材が取り付けられており、かつ、前記針部材の放射状部が接着部材により支持部材に固定されていることを特徴とする。
【考案の効果】
【００１４】
請求項１に記載の考案によれば、針部材の放射状部が接着部材を介して支持部材に固定されているので、針部材に下向きの大きな力が作用しても抜け落ちは防止される。その上で、垂直部から延びる放射状部ないし起立部は下方へ変形し難くなる。さらに、針部材に水平面内で円周方向に大きな力が作用しても、針部材の放射状部ないし起立部は水平面内で移動し難くなる。その結果、常時安定した釣果が期待される。
【考案を実施するための最良の形態】
【００１５】
以下、本考案の実施の形態に係るいか釣針について説明する。
【００１６】
図１及び図２に示すように、このいか釣針１は、細長い軸部材１０と、該軸部材１０の周囲に上下２段に分割配置された複数の針部材２０…２０とを有している。
【００１７】
前記軸部材１０は、直径４．５ｍｍのステンレス製のもので、上下両端が平板状に成形されて、穴部を有する連結部１１，１２とされている。
【００１８】
前記各針部材２０は、直径２ｍｍのステンレス製のもので、松葉状に折り返された上で、各段につき５本使用されている。各針部材２０は、折返部２１から下方に延びて前記軸部材１０に沿う垂直部２２，２２と、該垂直部２２，２２の下端から前記軸部材１０を中心として該軸部材１０にほぼ直交する方向で放射状に延びる放射状部２３，２３と、該放射状部２３，２３の先端から上方に起立して針先を形成する起立部２４，２４とを有している。その場合、放射状部２３，２３ないし起立部２４，２４は、軸部材１０を中心にして水平面内で略等角度で配置されており、起立部２４，２４は、やや斜め外方に傾斜して起立している。なお、上段の針部材２０…２０は下段の針部材２０…２０に比較して若干長さが短く、したがって下段に比較して若干小ぶりの倒傘状とされている。
【００１９】
また、前記針部材２０…２０の垂直部２２…２２は、短い筒状部材３０に挿入されている。そして、筒状部材３０内の針部材２０…２０の垂直部２２…２２によって形成された空間に、前記軸部材１０が挿入されている。
【００２０】
また、軸部材１０における上段及び下段の針部材２０…２０の直下方に、それぞれ円板状の支持部材４０，４０が取り付けられている。その場合、上側の支持部材４０は下側の支持部材４０に比較して若干直径が小さい。そして、上段及び下段の針部材２０…２０の放射状部２３…２３が、樹脂製の接着剤が固化してなる接着剤層５０，５０を介してこれら各支持部材４０，４０に固定されている。なお、一例として下段の場合、放射状部２３の長さの１／３から１／２程度が支持部材４０に固定されている。
【００２１】
以上のように構成したことにより、針部材２０の放射状部２３が接着剤層５０を介して支持部材４０に固定されているので、針部材２０に下向きの大きな力が作用しても抜け落ちは防止される。その上で、垂直部２２から延びる放射状部２３ないし起立部２４は下方へ変形し難くなる。さらに、針部材２０に水平面内で円周方向に大きな力が作用しても、針部材２０の放射状部２３ないし起立部２４は水平面内で移動し難くなる（図２参照）。その結果、常時安定した釣果が期待される。
【００２２】
なお、本考案は、具体的に詳述した前記実施の形態に限定されることはなく、本考案の趣旨に沿うものであればよい。例えば、軸部材１０及び針部材２０の寸法、針部材２０の材質や本数、接着剤層５０の材質、支持部材４０に対する針部材２０の放射状部２３の固定長さ、針部材２０の設置段数等は一例であって、目的用途に応じて適宜変更可能である。
【産業上の利用可能性】
【００２３】
以上説明したように、本考案によれば、大きな力が作用しても軸部材の周囲に倒傘状に配置された針部材の形状や配置が変化し難いいか釣針が提供される。すなわち、本考案は、いか釣漁業で使用される釣針に関し、釣針の製造技術分野に広く好適である。
【図面の簡単な説明】
【００２４】
【図１】本考案の実施の形態に係るいか釣針の正面図である。
【図２】図１のＩＩ−ＩＩ線による矢視図である。
【図３】従来のいか釣針の正面図である。
【図４】従来の別なるいか釣針の概ね縦断面図である。
【図５】下向きの大きな力が作用したときの針部材の変形状態を示す要部正面図である。
【図６】水平面内で円周方向に大きな力が作用したときの針部材の移動状態を示す要部断面図である。
【符号の説明】
【００２５】
１      いか釣針
１０    軸部材
２０    針部材
２２    垂直部
２３    放射状部
２４    起立部
４０    支持部材
５０    接着剤層（接着部材）
【図１】
0003115171.tif 000003
【図２】
0003115171.tif 000004
【図３】
0003115171.tif 000005
【図４】
0003115171.tif 000006
【図５】
0003115171.tif 000007
【図６】
0003115171.tif 000008